(57)【特許請求の範囲】
【請求項１】
処理されるフィルムの処理情報を入力するためのフィルム処理情報入力手段を備え、前記フィルム処理情報に基づき前記フィルムを処理する写真処理システムであって、
受付処理を行う受付ステーションと、フィルムの仕分けを行うソータステーションと、仕分けられたフィルムから焼き付け処理を行う焼付ステーションとを備えると共に、
前記受付ステーションは、受付時に取得した処理情報を前記フィルム処理情報入力手段としての磁気記録装置によってフィルムの磁気情報記録部に記録するよう処理形態が設定され、
前記ソータステーションは、磁気情報読み取り装置でフィルムの磁気情報記録部に記録されたフィルム処理情報を読み取り、このフィルム処理情報に基づいてフィルムの仕分け行い、前記焼付ステーションは、仕分けられたフィルムに対応した処理を行う複数の写真焼付装置を備えている写真処理システム。
【請求項２】
前記ソータステーションは、前記フィルムの磁気情報記録部に記録したフィルム処理情報を磁気読み取り装置で読み取ることによって焼付条件を判別して、そのフィルムをフィルムマガジンに挿入するように構成されている請求項１に記載の写真処理システム。
【請求項３】
前記ソータステーションが、リオーダ用のフィルムを仕分ける第１ソータステーションと、同時プリント用のフィルムを仕分ける第２ソータステーションとで構成され、この第１ソータステーションと第２ソータステーションにおいて前記フィルムマガジンに挿入されたフィルムを前記複数の写真焼付装置に搬送する搬送装置を備えている請求項２記載の写真処理システム。
【請求項４】
前記フィルム処理情報が、少なくとも焼き付け処理する駒の指定情報と、焼付枚数と、焼付サイズを含んでいる請求項２又は３に記載の写真処理システム。
【請求項５】
前記ソータステーションが、仕分けたフィルムをカートリッジに再度挿入するよう構成され、このカートリッジを複数個保持する保持手段の搬送を行う搬送装置を備えている請求項１記載の写真処理システム。
【発明の詳細な説明】
【０００１】
【発明の属する技術分野】
本発明は、処理されるフィルムの処理情報を入力するためのフィルム処理情報入力手段を備え、前記フィルム処理情報に基づき前記フィルムを処理する写真処理システムに関する。
【０００２】
【従来の技術】
ネガフィルム等の写真フィルムの撮影を終了したユーザーは、その写真フィルムを写真店（以下、取次店という。）に持っていきプリント作成の依頼をする。通常、撮影済みのその写真フィルムは発色現像、定着等の所定の現像処理がなされる。そして、この現像処理が終了するとこの写真フィルムの画像を印画紙等に焼付露光することでプリントを得るようにしている。ユーザーからの依頼を受けた取次店は、写真フィルムを扱う現像所（いわゆる、ラボ）にこの写真フィルムを発送し、ラボにおいて上記プリントを得るための処理がなされ、現像済み写真フィルムとプリントとはユーザーに返却される。このように、写真フィルムの現像とプリントとを一括して処理することを同時プリントと呼んでいる。
【０００３】
さて、ユーザーには現像済み写真フィルムとプリントが返却された後、プリントを再注文（焼き増し等）してくるケースがある。このリオーダーの対象となる写真フィルムは、その写真フィルムの現像処理がされない他は上記同時プリントのケースと同様の処理がなされる。このように、写真フィルムの焼付露光のみを処理することをリオーダーと呼んでいる。
【０００４】
以上のような、同時プリントとリオーダーとを行うことのできる写真処理システムは、例えば、特開平７−２４４３６５号公報で知られている。このシステムによれば、この公報の第１図から明らかなように、同時プリントの写真フィルムが入荷されると、ネガ現像機、プリンタ等により一連の処理が実行される。また、リオーダーの写真フィルムが入荷されると、再注文用プリンタ等により、一連の処理が実行される。  この様なフィルムの処理を行うシステムでは、同時プリントや、リオーダーの焼き付けの際の処理は、駒の指定情報や、焼付枚数、焼付サイズなどのフィルム処理情報に基づいて行われなければならない。これらのフィルム処理情報は、ユーザーの依頼に基づいて作成された注文伝票を伝票用バーコードリーダにより読み取る事により写真処理システムのホストコンピュータに取り込まれる。このホストコンピュータによりフィルム処理情報に基づいて、処理状況が管理されているのである。
【０００５】
【発明が解決しようとする課題】
しかしながら、この様に、ホストコンピュータに全てのフィルム処理情報を記憶させて、処理を行う方法であると、各々のフィルムに対応させてこの情報を管理する必要があるため、バーコードであるＩＤタグをフィルム収納体であるカートリッジやネガピース等に取り付け、処理搬路の要所においてＩＤタグのバーコードを読み込むことにより、各々のフィルムと、ホストコンピュータに記録されたそのフィルムの処理情報を対応させる必要があった。
フィルム処理情報を全てホストコンピュータに記憶させなくとも、フィルムにこのフィルム処理情報を記録することができる点において、従来の写真処理システムには改良の余地があった。本発明の目的の一つは、フィルムにこのフィルム処理情報を記録する事のできる写真処理システムを提供することにある。
【０００６】
【課題を解決するための手段】
上記目的を達成するために、本発明による写真処理システムは、受付処理を行う受付ステーションと、フィルムの仕分けを行うソータステーションと、仕分けられたフィルムから焼き付け処理を行う焼付ステーションとを備えると共に、前記受付ステーションは、受付時に取得した処理情報を前記フィルム処理情報入力手段としての磁気記録装置によってフィルムの磁気情報記録部に記録するよう処理形態が設定され、前記ソータステーションは、磁気情報読み取り装置でフィルムの磁気情報記録部に記録されたフィルム処理情報を読み取り、このフィルム処理情報に基づいてフィルムの仕分け行い、前記焼付ステーションは、仕分けられたフィルムに対応した処理を行う複数の写真焼付装置を備えている。
このシステムによれば、受付ステーションでは受付時に取得した処理情報を、磁気記録装置によってフィルムの磁気情報記録部に記録し、ソータステーションではフィルムの磁気記録部に記録された処理情報を磁気情報読み取り装置で読み取ってフィルムの仕分けを行い、焼付ステーションでは仕分けられたフィルムに対応した処理を複数の写真処理装置によって行うことができる。
【０００７】
前記ソータステーションとして、前記フィルムの磁気情報記録部に記録したフィルム処理情報を磁気読み取り装置で読み取ることによって焼付条件を判別して、そのフィルムをフィルムマガジンに挿入するように構成しても良く、又、前記ソータステーションが、リオーダ用のフィルムを仕分ける第１ソータステーションと、同時プリント用のフィルムを仕分ける第２ソータステーションとで構成され、この第１ソータステーションと第２ソータステーションにおいて前記フィルムマガジンに挿入されたフィルムを前記複数の写真焼付装置に搬送する搬送装置を備えても良い。
この構成により、ソータステーションでは、フィルムの磁気記録部に記録されたフィルム処理情報を磁気読み取り装置で読み取って処理条件を判別して、そのフィルムを、例えば、処理条件に対応したフィルムマガジンに挿入でき、又、この構成により、第１ソータステーションで仕分けられたリオーダ用のフィルムと、第２ソータステーションで仕分けられた同時プリント用のフィルムとを搬送装置が複数の写真焼付装置にできる。
【０００８】
前記フィルム処理情報が、少なくとも焼き付け処理する駒の指定情報と、焼付枚数と、焼付サイズを含んでも良い。
この構成により、フィルム処理情報に基づいてフィルムにおいて指定された駒を指定された焼付枚数だけ焼き付け処理できる。
【０００９】
前記ソータステーションが、仕分けたフィルムをカートリッジに再度挿入するよう構成され、このカートリッジを複数個保持する保持手段の搬送を行う搬送装置を備えても良い。
ソータステーションにおいて、仕分けたフィルムをカートリッジに再度挿入することにより、このカートリッジを保持手段に複数個保持して搬送装置で搬送できる。
【００１０】
【発明の実施の形態】
図１には、本発明による写真処理システムを採用した場合の、カートリッジ２に収納された写真フィルム（以下、単にフィルムという。）が取次店１０を経て写真処理システム１００を備えたＤＰＥセンターで写真処理される様子が示されている。なお、以下の記載では、写真処理システムとＤＰＥセンターとは同意語として共に図番１００で示す。
市場では、２つのタイプのフィルム１とフィルム収納体２が主に出回っている。つまり、従来からよく知られている収納体としてのパトローネに収納されている１３５タイプのフィルムと、最近新しく開発されたＡＰＳに基づく収納体としてのカートリッジ２に収納されているＩＸ２４０タイプのフィルム１である。
本実施例では、以下、カードリッジ２に収納され、磁気情報記録部を有するＩＸ２４０タイプのフィルム１の処理を例にとって説明する。
【００１１】
取次店１０では、未現像フィルム１の現像・焼付処理（同時プリント）の依頼と、現像済みフィルム１の焼き増し等の処理（リオーダー）の依頼があるが、ＩＸ２４０タイプのフィルムの場合、現像処理を行った後で客に変換される場合にも、現像済みフィルム１は専用カートリッジ２に収納されて返却される。
【００１２】
このＩＸ２４０タイプのフィルム１には図５で示されるとおり、フィルム１の画像領域１Ｃの上下の部分には、磁気情報記録部１Ｄ、１Ｅ、１Ｆが設けられており、このうち、画像領域１Ｃの上方に位置する磁気情報記録部１は、ラボトラックと呼ばれ、フィルムの処理時に利用されるデータが記録される。また、画像領域１Ｃの下方に位置する磁気情報記録部Ｅ１Ｆは、カメラトラックと呼ばれ、カメラの撮影情報が記録される。また、ラボトラック上においても、先端部分１Ａと画像領域１Ｃの領域との間にあるリーダー部分にある磁気情報記録部１Ｄには、全駒共通データが記録され、画像領域１Ｃに配置されるそれぞれの駒の上部に位置する磁気情報記録部１Ｅには対応する駒に関する情報が記録される。本発明による写真処理システムではこのラボトラックが利用される。
フィルム１を持って顧客がＤＰＥセンター１００の取次店１０に現像や焼付などの写真処理を依頼すると、取次店１０はそのフィルム１を預かるとともに図２及び図３に示すような感圧式の３枚綴りの注文伝票を発行する。この注文伝票は、顧客の控え用として渡される顧客控え用伝票１１、取次店１０に残される取次店用確認伝票１２、そしてＤＰＥセンター１００へフィルム１と共に送られるラボ用伝票１３とからなる。
【００１３】
図２は、リオーダーの依頼を受けた場合に発行される注文伝票を示す。この注文伝票には、顧客によって選択される、「コマＮｏ．」、「焼付枚数」、「焼付サイズ」、「印画紙面質」等のフィルム処理情報が複数のバーコードで記載されており、さらに姓名、住所、電話番号などの顧客情報が書き込まれる欄及び取次店１０の名称が設けられている。また、ラボ用伝票１３には取次店１０のＩＤコードを示す店名バーコード１４も設けられている。
図３は、同時プリントの依頼を受けた場合に発行される注文伝票を示す。この注文伝票には、顧客によって選択される、「同時プリントの要否」、「フィルム長さ」、「焼付サイズ」等のフィルム処理情報が複数のバーコードで記載されている。その他の点は、リオーダーの依頼の場合と同様である。
【００１４】
リオーダーや同時プリントの依頼の場合、注文伝票の発行時には、さらに、この注文伝票と顧客より預かったフィルム１とを照合するために用いるＩＤコードを表すバーコードシール１５がラボ用伝票１３とカートリッジ２に貼付けられる。
【００１５】
このカートリッジ２に貼付けられるバーコードシール１５は、貼り直し可能な二段式のシール構造になっている。これは、ＤＰＥセンター１００での写真処理工程において、フィルム１がカートリッジ２から引き出されるので、その時点で引き出されたフィルム１にバーコードシール１５を貼り直す必要があるからである。
以上のような、バーコードシール１５の貼付け作業が完了すると、ラボ用伝票１３とフィルム１は、例えばらばらになっても、ＩＤコードをキーとして照合することが可能となる。このことにより、取次店１０からＤＰＥセンター１００へのフィルム１搬送にあたっては、ラボ用伝票１３とフィルム１とを別々にすることができる。
【００１６】
さて、ＤＰＥセンター１００に送られたラボ用伝票１３とフィルム１は、受付ステーション２０で受付処理が行われる。
先ず、リオーダーのフィルム１や同時プリントのフィルム１の受付処理ではラボ用伝票１３にバーコードとして記録されているフィルム処理情報の例である写真焼付情報や、店名バーコード１４がバーコードシール１５のＩＤコードと共に、伝票用バーコードリーダ２１によって読み取られる。このフィルム処理情報が、ＤＰＥセンター１００に設置された写真処理システムのホストコンピュータ２００を介して、後に説明されるフィルム処理情報記録手段である磁気記録装置２２に送られる。
【００１７】
この時点で同時プリントを行う未現像のフィルム１は、現像済みのリオーダーのフィルム１とは現像処理の分だけ異なる処理搬路をたどる。
リオーダーのフィルム１に対しては、カートリッジ２よりフィルム１が取り出され、カートリッジ２に貼り付けられたバーコードシール１５が、フィルム１に貼付けられる。
ここで簡単に図４を参照してこのバーコードシール１５について説明すると、これは二段式シール１５になっており、裏面に接着層を形成したベース部１５ｂと、その裏面に再貼付け可能な接着層を形成すると共にＩＤコードを表しているバーコード表示部１５ａとから構成され、取次店１０で前記ベース部１５ｂと一体となってカートリッジ２に貼付けられたバーコード表示部１５ａは、フィルム１引出し時に、前記ベース部１５ｂから剥がされ、引き出されたフィルム１先端に貼付けられるようになっている。これによって、以下で説明される次の段階で、フィルム１にフィルム処理情報が記録される際に、ラボ用伝票１３に貼付けられたバーコード１５と対応するフィルム１にフィルム処理情報が記録されることが確実に行われるのである。
【００１８】
次に、リオーダーのフィルム１は、磁気記録装置２２に挿入され、前記磁気記録装置２２によりフィルム１に設けられた磁気情報記録部に、対応するラボ用伝票１３よりのフィルム処理情報が記録される。この磁気記録装置２２のハウジングには、フィルム１に貼付けられたバーコードシール１５上に記録された情報を読み取るフィルム用バーコードリーダも備えられている。
この様にして、ラボ用伝票１３のフィルム処理情報はフィルム１に直接記録されるのである。
【００１９】
一方、同時プリントを行う未現像フィルム１の場合、遮光されたケース内でカートリッジ２よりフィルム１先端部分のみを引き出し、カートリッジ２に貼り付けられたバーコードシール１５がこのフィルム１先端部分に再貼付けされ、フィルム先端が巻き戻された後、カートリッジごと現像ステーション３０に装填され、それ自体は公知である方法で現像処理が行われる。処理すべき未現像フィルム１に特有の現像条件があれば、ホストコンピュータ２００から現像ステーション３０に送られる。
【００２０】
この現像ステーション３０により現像処理が終わった同時プリントのフィルム１は、リオーダーのフィルムと同様に、図２に示されるものと同様の磁気記録装置２２に挿入され、受付処理の段階で伝票用バーコードリーダ２１により読み取られたフィルム処理情報がこの磁気記録装置２２を介してフィルム１に記録される。
リオーダーで受付処理が終了した現像済みフィルム１は、第１ソータステーション４０に送られ、同時プリントで現像処理が終わり、フィルム処理情報が記録されたフィルム１は第２ソータステーション３１に送られる。第１ソータステーション４０或いは第２ソータステーション３１において、このフィルム１は、ラボ用伝票１３から読み取られ、フィルム１に磁気情報として記録されたプリントサイズ等のフィルム処理情報に基づいてグループ化される。
ここでは、フィルム処理情報の一部である焼付条件として印画紙の大きさが、フルサイズとパノラマサイズの２種類の間で選択される場合を例に取って説明する。もちろん、フィルム処理情報はこれに限定されない。この第１ソータステーション４０或いは第２ソータステーション３１はフィルム処理装置の一例である。
【００２１】
リオーダ用の第１ソータステーション４０と同時プリント用の第２ソータステーション３１は、配設位置が異なっているが、構成は同じなので第１ソータステーション４０を例にとり、図６を参照してこれらの構成を説明する。
先ず、フィルム１はフィルム処理情報読み取り手段としての磁気情報読み取り装置２３に挿入され、フィルム１に記録されたフィルム処理情報が読み取られ、この情報がホストコンピュータ２００に送られる。  フィルム処理情報の一部である焼付条件がフルサイズの場合には、フィルム１を搬送ローラ２４、可動ガイド２７、搬入・搬出ローラー３５０、案内プレート３０９を経由して図６中では下方に位置するフィルムマガジン３００内に挿入する。フィルムマガジン３００の構成の詳細は後述する。又、焼付条件がパノラマサイズの場合には、フィルム１を搬送ローラ２４、可動ガイド２７、固定ガイド２８、搬入・搬出ローラー３５０、案内プレート３０９を経由して別の上方に位置するフィルムマガジン３００内に挿入する。可動ガイド２７は図６中で、実線位置と一点鎖線位置との間を移動可能であり、その切り換え制御は磁気情報読み取り装置２３により読み取られたフィルム処理情報に基づきホストコンピュータ２００が行う。固定ガイド２８は、フィルム１の搬送経路の長さ調整のために設けられている。
すなわち、フィルム処理情報読み取り手段である磁気情報読み取り装置２３により読み取られたフィルム処理情報に基づき第１と第２ソータステーション４０、３１がフィルム１を仕分けるのである。
以上のようにフィルム１はフィルムマガジン３００に詰め替えられて、搬送装置５０へ送り込まれる。
【００２２】
なお、カートリッジ２はそれが再使用可能であるから、フィルム１を引き出して現像処理した後、再度そのカートリッジ２に現像済みフィルム１を収納して搬送装置５０へ投入するようにしても良いが、上記のようなフィルムマガジン３００へ挿入するようにすることが好ましい。
【００２３】
次に、搬送装置５０の詳細を図７により説明する。
図７には、第１ソータステーション４０と第２ソータステーション３１で仕分けされたフィルムマガジン３００が、第１ストック装置５５と第２ストック装置５６に仕分けされる様子が図示されている。第１ストック装置５５は、フルサイズの写真焼付を行う第１写真焼付装置６１に送り込まれるフィルムマガジン３００をストックする。第２ストック装置５６は、パノラマサイズの写真焼付を行う第２写真焼付装置６２に送り込まれるフィルムマガジン３００をストックする。フィルムマガジン３００を搬送するベルトコンベヤ５１には所定ピッチでフィルムマガジン３００を収容することができるポケット部材５２が取り付けられている。
【００２４】
このポケット部材５２の両端と上方は開放されており、フィルムマガジン３００を側方や上方から出し入れできる。さらにポケット部材５２の側壁には各ポケット部材５２を識別するためのＩＤコードを示すバーコード５３が付けられている。ベルトコンベヤ５１の駆動はホストコンピュータ２００によって制御されていることから、ホストコンピュータ２００には、あるＩＤコードをもつポケット部材５２にあるＩＤコードをもつフィルムマガジン３００が収納されているかという情報が格納される。このベルトコンベヤ５１には前述した第１ストック装置５５と第２ストック装置５６が接続されており、その接続領域に達したポケット部材５２のバーコード５３がバーコードリーダ５４によって読み取られ、その情報がホストコンピュータ２００に入力されると、ホストコンピュータ２００がそのポケット部材５２に収納されているフィルムマガジン３００がその接続領域で分岐させるかどうかを判断して、分岐させる場合は、ここでは矢印でしか図示されていないフィーダを用いてそのフィルムマガジン３００を、例えば同じようなポケット部材を備えた第１ストック装置５５へ送り込む。
【００２５】
以上のように、この搬送装置５０においては、リオーダーのフィルム１を収納したフィルムマガジン３００と、同時プリントのフィルム１を収納したフィルムマガジン３００とが混在した状態で搬送されるようになっている。即ち、同時プリントとリオーダーとを、同じラインにおいて処理するよう構成されているのである。
【００２６】
従来の技術のように、同時プリントとリオーダーとを全く別のラインにおいて処理することは作業性の低下を招いてしまう。処理ラインを別にしてしまうと、例えば、同時プリントの処理量がリオーダーの処理量を上回ってしまうような場合に、リオーダーのために設けられた写真焼付装置の稼動率が低下する。従って、写真処理システム全体の生産性が低下することになる。反対に本実施形態による写真処理システムでは同時プリント写真フィルムとリオーダー写真フィルムとを共通の写真焼付装置で処理し、その結果、写真焼付装置の稼動率を向上させることができるのである。
【００２７】
次にフィルムマガジン３００について説明する。ここで説明に使われるフィルムマガジン３００は、６駒程度に切断されたネガピースの形態のものと、切断されていない１オーダー分の長さのフィルムとの両方を収納することが可能である。従って、フィルムマガジン３００には１オーダー分のフィルム１が収納されることもできるし、複数オーダー分のフィルム１を収納することもできる。
【００２８】
図８にフィルムマガジン３００の全体構造が示されている。フィルムマガジン３００は、基本的には、その外観を構成するケース３０１と、その中心部に設けた回動軸芯３０２回りに回動可能なドラム３０３と、ドラム３０３に対してフィルム１を搬入・搬出するためのローラー機構３０５を備えている。ドラム３０３の外周壁３０４には８個の軸方向のスリット３０６が等間隔で形成されている。このドラム３０３の側壁は図面を見やすくする目的で、図示されていない。これらのスリット３０６を通じてフィルム１がドラム３０３の内部空間に挿入され、必要に応じて、ドラム３０３から排出される。
【００２９】
ドラム３０３の内部空間に挿入されたフィルム１の後端領域を保持するために、ドラム３０３の外周壁３０４に沿ってエンドレスベルト３０７が配設されている。このエンドレスベルト３０７はドラム３０３の外周部３０４の実質的に大部分と当接する状態で、ベルト３０７と外周壁３０４の間にフィルム１を鋏み込み、保持するように構成されている。尚、このエンドレスベルト３０７は複数のローラー３０８を備えており、その内の１つが第１ソータステーション４０または第２ソータステーション３１側から動力が供給されるように構成されている。
【００３０】
又、上述したようにエンドレスベルト３０７はドラム３０３の外周壁３０４の全周に亘って当接しているのではなく、その一部においてフィルム１のスリット３０６への挿入用の入口箇所において外周壁３０４から離脱している。このように、ベルト３０７の外周壁３０４に対する非当接部分は、フィルム１のドラム３０３への入口を形成するとともに、同時にこの部分で、フィルム端部の保持が解除されるので、フィルム１のドラム３０３からの出口も形成している。図より明らかなように、ドラム３０３へのフィルム１の進入路は、案内プレート３０９によって形成されている。
フィルムマガジン３００には、さらにフィルムマガジン３００の搬送中に不用意なドラム３０３の回転を防止するための回転規制アーム３１０や、ドラム３０３の回動位置を検出するためのドラム位置検出手段３１１が備えられている。このドラム位置検出手段３１１には、公知の種々の位置検出センサーシステムを利用することができる。例えば、外周壁３０４のスリット３０６に隣接する位置に設けられた磁性体と磁気センサーの組み合わせなどが典型的なものである。
【００３１】
このフィルムマガジン３００へのフィルム１の搬入・搬出やドラム３０３への動力は、フィルムマガジン３００が装着される各ソータステーション側で準備されており、例えば、図８の３５０はソータステーション側に設けられたフィルム１の搬入・搬出ローラであり、ローラ機構３０５は、フィルムマガジン３００の装着時に、図示されていないソータステーション側の出力ギヤ又はプーリなどと動力伝達可能に連結される。
【００３２】
次に、図９と図１０を参照しながら、このフィルムマガジン３００へのフィルム１の挿入過程を説明する。
以下の説明において、フィルムの先端、後端という用語を使用するが、これはソータステーション側から送り出される最初の部分が先端であり、即ち、マガジン３００に送り込まれるフィルム１の先端部が先端であると定義する。後端とはその逆側端部であり、即ち、ソータステーション側から送り出されるときに最後に排出されるフィルムの端部であると定義する。
【００３３】
まず、フィルムマガジン３００をソータステーション側の所定の装着位置に装着する（図９ａの状態）。この時点でフィルムマガジン３００の回転規制アーム３１０がドラム３０３の回動規制を解除する状態となる。そして、ドラム３０３の回転位置がフィルム１の挿入可能位置にあるか否かをドラム位置検出手段３１１によって検出する。そしてこの検出によってドラム３０３がフィルム挿入位置にないときはさらにドラム３０３を図中時計方向に回転する。ドラム３０３のスリット３０６によってセグメント状に分割されている外周壁３０４に設けられたドラム位置検出手段３１１の構成要素である被検出体３１１ｂの位置をセンサー３１１ａが検出するとドラム３０３の回動を停止する（図９ｂの状態）。
【００３４】
搬入・排出ローラ３５０とローラ機構３０５を駆動することでフィルム１の搬送が開始され（図９ｃの状態）、フィルム１の先端がドラム３０３のスリット３０６に侵入していく（図９ｄの状態）。フィルム１の搬送は、図９ｅに示すようにフィルムセンサ３５１が未検出の状態になってから所定時間経過するまで続行される。即ち、フィルム後端の未検出を感知した時点においてはフィルム１の後端とドラム３０３のスリット３０６までの長さがかなりあるため、ある程度フィルム１をさらに送り込んでから、搬入・排出ローラ３５０とローラ機構３０５の駆動を停止する。
【００３５】
図９ｆに示すように、搬入・排出ローラ３５０とローラ機構３０５の駆動が停止された後にドラム３０３の回動を実行する。このドラム３０３の回動は、ドラム位置検出手段３１１によってドラム３０３のフィルム挿入可能位置を感知した時点で回動を停止する。この停止位置では、エンドレスベルト３０７によるフィルム１の保持が実現するとともに、ドラム３０３は次のフィルム１を受け入れ可能な待機状態となる。
搬入・排出ローラ３５０とローラ機構３０５の駆動によって次のフィルム１が搬送されてくる（図１０ｇの状態）。そして、図１０ｈに示すように、フィルム１はドラム内部に搬送されていき、フィルム１の後端がフィルムセンサ３５１の位置を通過してゆく（図１０ｈの状態）。そして前述したように所定の時間経過後に搬送装置を停止状態にする。さらに、ドラム３０３が図中時計回りに回動操作され、次のフィルム１を挿入するためにドラム位置検出手段３１１がフィルム挿入可能位置を検出するまで、ドラム３０３の回動が継続する（図８ｉの状態）。
【００３６】
そして、ドラム３０３が挿入可能位置に回動したことを検出するとドラム３０３が停止し、次のフィルム１の挿入の待機状態となる。そして図１０ｊ，図１０ｋ，図１０ｌに示すように、次のフィルム１をドラム３０３に挿入していくステップが上記と同様に繰り返される。
上述のような方法で、同じ焼付条件をもつフィルム１は、フィルムマガジン３００に収納された状態で、焼付ステーション６０に送られる。
【００３７】
フィルムマガジン３００からフィルム１を先入れ先出し法で排出する過程は以下の通りである。
図１１ａでは、フィルムマガジン３０３に収納された８本のフィルム１の内、見易さの観点から３本だけが示されている。この図面では、３つの内の真ん中のフィルム１が最初に入れられたフィルムとする。このフィルム１を排出するためには、まず、ドラム３０３を図中時計方向にスリットの角度ピッチの２倍分回動させる。図１１ｂは、図１１ａの状態からドラム３０３を時計方向にスリット３０６の１ピッチ分回動させた状態を示す。図１１ｂの状態においては排出したいフィルム１の後端がガイドプレート３０９内に位置する状態ではないため、図１１ｃの状態までドラム３０３を回動駆動する。ところが、この状態では、排出すべきフィルム１の後端は駆動ローラ３０５から離れているため、今度は図１１ｄの状態になるまで、ドラム３０３を反時計方向に回動駆動する。このときの回動偏位はスリットの１ピッチ分に相当する。
このようにして、フィルム１の後端がガイドプレート３０９を通過し、駆動ローラ３０５に達する状態となる。従って、この状態から搬入・排出ローラ３５０とローラ機構３０５を駆動することによってフィルム１をフィルムマガジン３００から排出することが可能となる。そしてフィルム１の先端がフィルムセンサ３５１を通過すると次のフィルムの排出の準備が可能となる。同様な方法で、先に入れたフィルム１から順々に排出することができる。もちろん、先入れ後出し法による排出が可能であるだけではなく、任意のフィルム１からの排出も、ドラム位置検出手段３１１の検出信号を利用して、収納されたフィルム１の位置を記憶しておくことで可能となる。
【００３８】
焼付ステーション６０には、フルサイズの焼付けを行うための第１写真焼付装置６１とパノラマサイズの焼付けを行うための第２写真焼付装置６２が設置されている。ここでは写真焼付装置は２台設置されているが、もちろんこれに限定されず３台以上設置してもよい。それぞれの写真焼付装置６１又は６２にはこの焼付条件に適合するフィルム１を収納するフィルムマガジン３００が選択的に供給される。供給されたフィルムマガジン３００から、再びフィルム１が引き出され写真焼付装置６１、６２に挿入される。写真焼付装置には、第１と第２ソータステーションと同様に、磁気情報読み取り装置が設けられ、各々のフィルムのプリントする駒の指定情報や、枚数などのフィルム処理情報としての焼付情報が読み取られ、写真焼付装置６１または６２に情報が直接送られる。この時、この情報をホストコンピュータ２００を介して写真焼付装置６１または６２に送り、これらを設定しても良い。磁気情報読み取り装置より直接写真焼付装置６１または６２に焼付情報が送られる場合にも、この情報をホストコンピュータ２００に同じ情報を処理状態情報として送ってもよい。
【００３９】
この写真焼付装置６１、６２では、焼付条件が一致しておれば、リオーダーのフィルム１と同時プリントのフィルム１とは混在した状態で投入され、処理される。混在した状態であっても、フィルム１の各々に情報が記録されているので、何ら問題はない。
ここでは、焼付条件としてフルサイズとパノラマサイズをあげているが、その他に、印画紙面質（光沢面、絹目面など）、印画紙幅がある。又、焼付サイズとしてはＥ，Ｌ，２Ｅ，２Ｌ等がある。もちろん、これらの複数の焼付条件を組み合わせて設定することもできる。
【００４０】
焼付処理の終了後、フィルム１とプリントはオートパッカーステーション７０に送られる。焼付処理が終了するとフィルムマガジン３００は必要なくなるので、再利用のためソータステーション３１、４０に戻される。フィルム１は再びカートリッジ２に収納され、プリントと共に搬送装置７１により出荷ステーション７２へ送られる。この搬送装置７１の基本構成は、図７に示される搬送装置５０と同じものでよい。
【００４１】
出荷ステーション７２では、プリントとカートリッジ２は顧客別にＤＰ袋に入れられ、取次店１０毎に仕分けがされる。仕分けが完了すると、プリントとカートリッジ２は取次店１０に発送される。
【００４２】
次に、別実施形態について説明する。
（１）本発明における重要思想は、フィルム処理情報をフィルム自体に記録する事にあるのであって、これが、磁気的に記録されなくとも例えばバーコードとして記録された情報を印刷したバーコードシールをフィルムのリーダ部分に貼り付けるように構成しても良い。
この様にバーコードによりフィルム処理情報を記録する構成であると、従来のパトローネに収容される１３５タイプのフィルムなど、磁気情報記録部を備えないフィルムにも本発明は応用できるのである。
【００４３】
この場合、フィルム情報記録手段として、上記実施形態における磁気記録装置２２の代わりにバーコード発行装置を利用し、フィルム処理情報読み取り手段として、磁気情報読み取り装置２３の代わりにバーコードリーダを利用することにより簡単に実施することができる。上記実施形態において、これらの装置を交換することにより、従来のパトローネに収容される１３５タイプのフィルムなど、磁気情報記録部を備えないフィルムにも本発明が応用できるのである。１３５タイプのフィルムなどがリオーダされる場合、６駒毎のフィルムピースとなって受注されるが、上記の実施形態のバーコードシール１５は、このフィルムピースの一番先端側のリード部分に貼り付けることが好ましい。
ＩＸ２４０タイプのフィルムにフィルム処理情報を記録する場合では、上記実施形態の様に、磁気情報記録部に記録することが好ましいが、上記の通りバーコードシール１５を利用してフィルム処理情報を記録することも可能である。
【００４４】
（２）上記実施形態では、同時プリントされるフィルム１へのフィルム処理情報の記録は、現像処理が行われた後で、第２ソータステーションに送られる前に行われたが、これを、現像ステーション３０において現像処理が行われる以前に行っても良い。この場合、フィルム１を感光させないよう遮光されたケース内で行なったり、注意する必要がある。この様に現像ステーション３０の前にフィルム１に対してフィルム処理情報を記録し、これを読み込み、このフィルム処理情報に基づき現像ステーション３０の設定を行うこともできる。よって、現像ステーション３０も処理装置の一例となりうる。
【００４５】
（３）上記実施形態では、伝票用バーコードリーダ２１によって読み取られた、フィルム処理情報が、ホストコンピュータ２００を介して、フィルム処理情報記録手段である磁気記録装置２２に送られる様、構成されていたが、フィルム処理情報を伝票用バーコードリーダ２１よりフィルム処理情報記録手段である磁気記録装置２２に直接送るように構成しても良い。
【００４６】
（４）上記実施形態では、第１と第２ソータステーションの制御を、磁気情報読み取り装置２３によって読み取られたフィルム処理情報に基づきホストコンピュータ２００が行うよう構成されているが、  第１と第２  ソータステーションのそれぞれに小型の専用制御コンピュータを設け、これらにより磁気情報読み取り装置２３によって読み取られたフィルム処理情報に基づきソータステーションの制御を行っても良い。この様に情報のみでなく、制御作業の分散化を図ることによりホストコンピュータ２００の負担を軽減させるばかりでなく、システムの効率化を図ることができる。
【００４７】
（５）本実施形態では、バーコードシール１５の貼り付けを取次店１０で行っているが、ＤＰＥセンター１００の受付ステーション２０で行ってもよい。
（６）本実施形態では、同時プリントとリオーダーの焼付情報を読み取るための読取り手段であるバーコードリーダー２１は、それぞれ同時プリント用とリオーダー用と別々に設けてもよいが、もちろん共用しても構わない。
【００４８】
（７）本実施形態では、顧客情報やリオーダー情報を記録するための情報体として注文伝票を利用しているが、ＤＰ袋に情報をもたせてもよい。あるいは、ＩＣカードやフロッピーディスク等の小型の磁気記録媒体を用いてもよい。
（８）本実施形態では、搬送装置５０の搬送経路上におけるフィルム位置を識別するための識別手段としてバーコード５３を使用しているが、これに限定されず、テレビカメラにより位置座標を認識するようにしてもよい。
（９）本実施形態では、フィルムマガジン３００にはバーコードシール１５は貼付けられない。これは、収納されているフィルム１に既にバーコードシール１５が貼付けられているからであるが、もちろん、フィルムマガジン３００にも更に貼付けるようにしてもよい。この貼り付けは、ソータステーション３１、４０において行われる。
（１０）上記実施形態では、フィルム処理情報として、基本的にラボ用伝票１３にある情報が、取次店のＩＤコードなどを含め、全てフィルムに記録するようにしても良いし、焼付条件のみ等、一部の情報のみをフィルムに記録するようにしても良い。
（１１）上記実施形態では、第１ソータステーション４０と第２ソータステーション３１において、フィルム１がフィルム処理情報に基づいて仕分けされ、フィルムマガジン３００に収納される構成になっている。しかし、カートリッジ２は再使用可能であるため、図１２に示されるとおり、フィルム１をフィルムマガジン３００に収納する代わりに、仕分けされたフィルム１を再度カートリッジ２に収納した後に、カートリッジ２を複数保持する保持手段であるカートリッジケース５７にまとめられ、搬送装置５０に送り込まれるよう構成することも可能である。この場合、例えば同じ焼付条件で処理されるべきフィルム１は同じカートリッジケース５７に収納される様にする。このカートリッジケース５７には第１或いは第２写真焼付装置６１、６２の何れに送られるべきかを判断するための情報を記録したバーコード５７ａが添付される。
搬送装置５０では上記実施形態と同様にバーコードリーダ５８Ａ、５８Ｂが設けられており、バーコード５７ａに記録された情報が読み込まれ、図示されないコンピュータ２００が分枝させるかどうかを判断して、分枝させる場合は、ここでは矢印でしか図示されていないフィーダを用いてそのカートリッジケース５７を、第１写真焼付装置６１用の第１ストック装置５９Ａあるいは第２写真焼付装置６２用の第２ストック装置５９Ｂへ送り込むよう構成されるのである。
【図面の簡単な説明】
【図１】本発明による写真処理システムの全体構成を示すブロック図
【図２】リオーダーの場合の取次店における作業と、受付処理を説明するための説明図
【図３】同時プリントの伝票の形式を説明するための説明図
【図４】バーコードシールの貼替えを説明する説明図
【図５】ＩＸ２４０タイプのフィルムに設けられた磁気情報記録部を示す平面図
【図６】ソータステーションの構成を示す説明図
【図７】搬送装置の概略構成図
【図８】フィルムマガジンの構造を示す縦断面図
【図９】フィルムマガジンへのフィルムの挿入を示す工程分解図
【図１０】フィルムマガジンへのフィルムの挿入を示す工程分解図
【図１１】フィルムマガジンからのフィルムの排出を示す工程分解図
【図１２】別実施形態による搬送装置の概略構成図
【符号の説明】
１        写真フィルム
１０      取次店
１１      顧客用控え伝票
１２      取次店用確認伝票
１３      ラボ用伝票
１５      バーコードシール
２１      バーコードリーダ
２２      磁気記録装置
２３      磁気情報読み取り装置
３１      第２ソータステーション
４０      第１ソータステーション
５０      搬送装置
５３      バーコード
６０      焼付ステーション
７０      オートパッカーステーション
１００    ＤＰＥセンター
２００    ホストコンピュータ
３００    フィルムマガジン
【図１】
0003570532.tif 000002
【図２】
0003570532.tif 000003
【図３】
0003570532.tif 000004
【図４】
0003570532.tif 000005
【図５】
0003570532.tif 000006
【図６】
0003570532.tif 000007
【図７】
0003570532.tif 000008
【図８】
0003570532.tif 000009
【図９】
0003570532.tif 000010
【図１０】
0003570532.tif 000011
【図１１】
0003570532.tif 000012
【図１２】
0003570532.tif 000013